(57)【要約】
【課題】水道管からの分岐工事を要せず、浄水を貯めるタンクの設備を不要にして、水道蛇口から直接浄水を得るようにした浄水装置を提供する。
【解決手段】
水道蛇口１に取り付けられ、水道水の給水管３と浄水口１７とを有するコック２と、圧力スイッチ７の信号により駆動制御されるモーター９と、前記蛇口からの水を前記モーターによる圧力を掛けて供給されるようにした第１逆浸透膜の濾過装置１０と、この第１逆浸透膜で濾過された濾過水と非濾過水とを分岐して、濾過水は直接活性炭フィルター１６を介して前記コック２の浄水口１７に導き、非濾過水は第２逆浸透膜の濾過装置１３を通り前記活性炭フィルター１６を介して前記コック２の浄水口１７に導くようにした浄水管４と、前記第２逆浸透膜による非濾過水は排水とする排出路と、から成る水道蛇口に直結型の逆浸透膜浄水装置。
【選択図】    図１
0003101422.tif 000002
【実用新案登録請求の範囲】
【請求項１】
水道蛇口に取り付けられ、水道水の給水管と浄水口とを有するコックと、
圧力スイッチの信号により駆動制御されるモーターと、
前記蛇口からの水を前記モーターによる圧力を掛けて供給されるようにした第１逆浸透膜の濾過装置と、
この第１逆浸透膜で濾過された濾過水と非濾過水とを分岐して、濾過水は直接活性炭フィルターを介して前記コックの浄水口に導き且つ非濾過水は第２逆浸透膜の濾過装置を通り前記活性炭フィルターを介して前記コックの浄水口に導くようにした浄水管と、
前記第２逆浸透膜による非濾過水は排水とする排出路と、
から成る水道蛇口に直結型の逆浸透膜浄水装置。
【請求項２】
第１逆浸透膜がロープレッシャー型逆浸透膜であり、第２逆浸透膜がハイプレッシャー型逆浸透膜である請求項１記載の水道蛇口に直結型の逆浸透膜浄水装置。
【請求項３】
水道蛇口のコックから第１逆浸透膜の濾過装置に至る間に、ごみ取り用のＤＭフィルターと活性炭フィルターを設けた請求項１記載の水道蛇口に直結型の逆浸透膜浄水装置。
【考案の詳細な説明】
【技術分野】
【０００１】
本考案は水道蛇口に直結する逆浸透膜浄水装置に関するもので、水道水を第１逆浸透膜の濾過装置及び第２逆浸透膜の濾過装置を通して十分な量の浄水を蛇口に設けたコックを介して供給しようとするものである。
【背景技術】
【０００２】
従来より逆浸透膜を利用して塩水を真水になるよう浄化したり、活性炭フィルターを用いて塩素を除去するような濾過手段は広く知られている。
しかし、逆浸透膜を利用しても水道水から浄水を得る場合、逆浸透膜により浸透して浄水として出てくる量がかなり少ないため、水道水の引込管から分岐管を設けて浄水を一旦タンクに貯めて、このタンクからポンプを介して浄水を供給する構成が採られている。
【特許文献１】特開平９-２７６６７３号公報  高透過性複合逆浸透膜
【特許文献２】特開平１０-３０９５７８号公報  逆浸透膜浄水装置
【特許文献３】特開２００１-２４６３６７号公報  浄水器
【考案の開示】
【考案が解決しようとする課題】
【０００３】
本考案は、水道蛇口に直結することのできる浄水装置を提供するものであり、先ず逆浸透膜による濾過装置を２台若しくは複数台連結し、圧力スイッチによる圧力調節と共に複数の逆浸透膜による濾過作用を効率化し、得られる浄水量を大幅に増量しようとするものである。
【０００４】
この浄水量の増量に伴い、従来必要とされていた水道水の引込管から浄水器への分岐管を不要とし、これに伴う分岐工事の設備費と労働費を削減し、浄水を貯めておくためのタンクを不要とし、このタンクの設置のためのスペースも必要としなくなり、蛇口に直結したコックを捻るだけで浄水を十分に供給できるシステムを提供しようとするものである。
【課題を解決するための手段】
【０００５】
本考案では、水道蛇口に取り付けられ、水道水の給水管と浄水口とを有するコックと、圧力スイッチの信号により駆動制御されるモーターと、前記蛇口からの水を前記モーターによる圧力を掛けて供給されるようにした第１逆浸透膜の濾過装置と、この第１逆浸透膜で濾過された濾過水と非濾過水とを分岐して、濾過水は直接活性炭フィルターを介して前記コックの浄水出口に導き、非濾過水は第２逆浸透膜の濾過装置を通り前記活性炭フィルターを介して前記コックの浄水口に導くようにした浄水管と、前記第２逆浸透膜による非濾過水は排水とする排出路と、から成る水道蛇口に直結型の逆浸透膜浄水装置とした。
【０００６】
第２考案では、第１逆浸透膜がロープレッシャー型逆浸透膜であり、第２逆浸透膜がハイプレッシャー型逆浸透膜である水道蛇口に直結型の逆浸透膜浄水装置とした。
【０００７】
第３考案では、水道蛇口のコックから第１逆浸透膜の濾過装置に至る間に、ごみ取り用のＤＭフィルターと活性炭フィルターを設けた。
【考案の効果】
【０００８】
第１逆浸透膜が圧力スイッチによるモーターの制御により水道水から逆浸透膜作用により浄水をつくるが、先ず比較的低圧力（およそ３kg/cm2）による多量の浄水を濾過できる。次いで第２逆浸透膜を前記の逆浸透膜より高圧力（およそ５kg/cm2）とすることにより、第１逆浸透膜で濾過されなかった非濾過水を再度濾過して浄水を得、濾過水量を増やすことができ、タンクへの貯水をすることなく、直接蛇口から浄水を供給できるようになった。
【考案を実施するための最良の形態】
【０００９】
本考案で使用する第１逆浸透膜は、比較的低圧力(ロープレシャー)による濾過装置とした。逆浸透膜として  0.0005〜0.0001ミクロン程度の合成樹脂化合物を使用されているが、本考案で使用するものは、
【００１０】
素材          大きさ            製造者
第１逆浸透膜  ポリアミド樹脂  0.0001ミクロン    韓国  SEHAN 社
第２逆浸透膜  ポリアミド樹脂  0.0001ミクロン    韓国  SEHAN 社
【００１１】
第１逆浸透膜では比較的目が大きいので、多量の浄水が得られ、第２逆浸透膜では第１逆浸透膜で非浸透であった水が浸透できるようになり、合わせて浄水量を増水することができた。
【実施例１】
【００１２】
考案者の実験によれば、第１逆浸透膜及び第２逆浸透膜を備えた浄水器による浄水の取得量は下記の通りである。
【００１３】
水温                浄水取得量          電気伝導率（ppm）
２２℃から２５℃         1.2リットル           4 から 5
２０℃から２１℃         1.1リットル           4 から 5
１７℃から２０℃         1.1リットル           3 から 4
【００１４】
上記のデータが示すように、本考案を実施した浄水器では、電気伝導率がおよそ３から５ppmという極めて高い効率が得られた。普通の水道水がおよそ７０から８０ppmであるのに対して、浄水の程度が高いことを示している。
【実施例２】
【００１５】
図示した例は本考案のフローを示すものであり、１は水道蛇口、２はコックで、蛇口に直接取り付けられ、水道水を供給する給水管３と浄水管４とを接続している。
５はごみ取り用のＤＭフィルター、６は活性炭フィルターである。
【００１６】
７は圧力スイッチで、電気コード８と給水管３とが接続され、モーター９の回転数を制御して圧力制御ができるようになっている。
【００１７】
この圧力スイッチ７は、0.07MPaでONとなり、0.03MPaでOFFとなる。プラスマイナス0.03の幅があるので、圧力スイッチは0.04から0.1MPaで駆動する。
１０は第１逆浸透膜の濾過装置で、膜の大きさはおよそ0.0001ミクロンとしている。
１１は濾過水管、１２は非濾過水管で、次の第２逆浸透膜の濾過装置１３（0.0001ミクロン）へ接続されている。
【００１８】
１４は濾過水管、１５は非濾過水管で排水される。
濾過水管１１と１４は合流して、活性炭フィルター１６を介してコック２の浄水管４に接続されている。１７は浄水口である。
【産業上の利用可能性】
【００１９】
水道蛇口へ直結でき、浄水の供給量が多いので、浄水器としての産業化が期待される。
【図面の簡単な説明】
【００２０】
【図１】本考案の浄水フローを示す説明図である。
【符号の説明】
【００２１】
１    ：水道蛇口
２    ：コック
３    ：給水管
４    ：浄水管
５    ：ごみ取り用のＤＭフィルター
６    ：活性炭フィルター
７    ：圧力スイッチ
９    ：モーター
１０  ：第１逆浸透膜の濾過装置
１１、１４：濾過水管
１２、１５：非濾過水管
１３  ：第２逆浸透膜の濾過装置
１６  ：活性炭フィルター
１７  ：浄水口
【図１】
0003101422.tif 000003